(57)【特許請求の範囲】
【請求項１】
浮体構造物用タンクの壁面部に形成された水平桁によって構成された通路又は作業場に沿って設置される転落防止装置であって、
前記水平桁に対して平行となるように前記壁面部に固定されるレール部材と、該レール部材に摺動可能に配置されるとともに作業者に繋がれた命綱が係止されるガイド部材と、を有し、
前記レール部材は、移動用の手摺として兼用可能に構成されており、
さらに、前記レール部材は、複数の前記ガイド部材が相対する場合に、前記作業者が前記命綱を取り外すことなくすれ違い動作を行うことができるように、一方の前記ガイド部材を迂回又は退避させるバイパス部を有し、
前記バイパス部は、前記レール部材よりも上方に配置されている、
ことを特徴とする転落防止装置。
【請求項２】
前記バイパス部は、前記レール部材の一部から分岐して前記レール部材の他部に接続されるバイパス経路又は前記レール部材の一部から分岐した袋小路により構成される、ことを特徴とする請求項１に記載の転落防止装置。
【請求項３】
前記レール部材は、中空部及び該中空部と連通するスリット部を有する中空管により構成され、前記ガイド部材は、前記中空部に挿入されるアンカー部と前記スリット部に挿通される支持部と前記命綱が係止される係止部とを有する、ことを特徴とする請求項１に記載の転落防止装置。
【請求項４】
前記中空管は、作業員が把持可能な外形を有する、ことを特徴とする請求項３に記載の転落防止装置。
【請求項５】
前記アンカー部は、前記中空部に内接する車輪若しくはベアリングを有する又は前記支持部と自在継手を介して接続されている、ことを特徴とする請求項３に記載の転落防止装置。
【請求項６】
浮体構造物上に貨物を収容可能に形成又は配置される壁面部と、該壁面部に沿って配置される水平桁と、を備える浮体構造物用タンクにおいて、
前記壁面部に形成された水平桁によって構成された通路又は作業場に沿って設置される転落防止装置を有し、該転落防止装置は、請求項１〜請求項５のいずれかに記載の転落防止装置である、ことを特徴とする浮体構造物用タンク。
【発明の詳細な説明】
【技術分野】
【０００１】
本発明は、作業者や通行者が通路から転落することを防止する転落防止装置及び浮体構造物用タンクに関し、特に、壁面に沿って配置された通路に適した転落防止装置及び浮体構造物用タンクに関する。
【背景技術】
【０００２】
バルクキャリア（ばら積船）タンカー（液体貨物船）、ＦＰＳＯ（Floating Production, Storage and Offloading system：浮体式海洋石油・ガス生産貯蔵積出設備）、ＦＳＯ（Floating Storage and Offloading system：浮体式海洋石油・ガス貯蔵積出設備）等の浮体構造物には、複数のタンクが船体上に配置されている。これらのタンクは、ドック入渠時や停泊時だけでなく、洋上において船体揺動時にタンク内を点検しなければならない場合もある。かかる点検に備えて、タンクの内壁に配置された水平桁の開放側の端部に、一条の手摺と、複数条の転落防止用横木と、これらをフェンス状に配置するための一定間隔で設けられる縦支柱（例えば高さ１ｍ強の支柱）と、出入口を構成する扉と、を備えた固定式の手摺を設置したり、水平桁のフェイスプレート等を利用して前記固定式手摺と同様の構成を有する仮設の手摺を設置したりして、作業者の転落防止を図っていた。また、タンクの高さは、２０ｍ以上になることもあり、タンク内の点検作業は高所作業となることが多く、作業者は、命綱を手摺に掛けて作業及び移動するようにしている。
【０００３】
このように、手摺に沿って移動可能な転落防止装置には、例えば、特許文献１や特許文献２に記載されたものが既に提案されている。特許文献１に記載された転落防止装置は、枠組足場を下方から上方に向けて順次組み付ける際に、順次上方に盛替えながら建枠に設置する先行手摺において、左右一対の縦支柱と、各縦支柱の上端部に回転自在に架設した横支柱と、を備え、横支柱を親綱用の支柱として利用しながら横支柱に命綱を結合したガイドをスライド自在に挿入したものである。
【０００４】
また、特許文献２に記載された転落防止装置は、プラットフォームの床面上に固定されたレール部材と、レール部材に摺動自在に係合する係合部材と、作業者が着用する安全ベルトに接続した命綱の一端を係止するために係合部材に固定された係止部と、を有するものである。
【先行技術文献】
【特許文献】
【０００５】
【特許文献１】特開２００５−２０７２２５号公報
【特許文献２】実開平６−１６３９４号公報
【発明の概要】
【発明が解決しようとする課題】
【０００６】
しかしながら、タンク内における水平桁に固定式の手摺を設置した場合には、設備コストが高い、貨物の運動によって手摺が損傷を受けやすい、という問題があった。また、タンク内における水平桁に仮設の手摺を設置した場合には、手摺の設置及び撤去に工数を要し、点検コストが増大し、点検期間が長くなってしまう、という問題があった。
【０００７】
また、特許文献１に記載されたように、手摺の横支柱に命綱を係止する場合には、横支柱を支持する縦支柱の部分を通過する際に、命綱を手摺から一旦外して掛け替える必要があり、一時的に命綱を着用できなくなってしまう、という問題があった。また、複数の作業者が、同じ手摺に命綱を係止している場合にも、命綱を掛け替えなければすれ違うことができず、一時的に命綱が着用できなくなってしまう、という問題があった。
【０００８】
また、特許文献２に記載されたように、命綱をレール部材に沿って移動可能に構成した場合には、縦支柱を横切る必要はないものの、動揺する浮体構造物内の広い範囲を移動するような場合には、作業者の移動時に身体を支えるための手摺装置を設置する必要があった。また、複数の作業者が、同じ手摺に命綱を係止している場合には、命綱を掛け替えなければすれ違うことができず、一時的に命綱が着用できなくなってしまう、という問題があった。
【０００９】
本発明は、上述した問題点に鑑み創案されたものであり、設備コストを低減することができるとともに、作業者の安全性を向上させることができる、転落防止装置及び浮体構造物用タンクを提供することを目的とする。
【課題を解決するための手段】
【００１０】
本発明によれば、浮体構造物用タンクの壁面部に形成された水平桁によって構成された通路又は作業場に沿って設置される転落防止装置であって、前記水平桁に対して平行となるように前記壁面部に固定されるレール部材と、該レール部材に摺動可能に配置されるとともに作業者に繋がれた命綱が係止されるガイド部材と、を有し、前記レール部材は、移動用の手摺として兼用可能に構成されており、さらに、前記レール部材は、複数の前記ガイド部材が相対する場合に、前記作業者が前記命綱を取り外すことなくすれ違い動作を行うことができるように、一方の前記ガイド部材を迂回又は退避させるバイパス部を有し、前記バイパス部は、前記レール部材よりも上方に配置されている、ことを特徴とする転落防止装置が提供される。
【００１１】
また、本発明によれば、浮体構造物上に貨物を収容可能に形成又は配置される壁面部と、該壁面部に沿って配置される水平桁と、を備える浮体構造物用タンクにおいて、前記壁面部に形成された水平桁によって構成された通路又は作業場に沿って設置される転落防止装置を有し、該転落防止装置は、前記水平桁に対して平行となるように前記壁面部に固定されるレール部材と、該レール部材に摺動可能に配置されるとともに作業者に繋がれた命綱が係止されるガイド部材と、を有し、前記レール部材は、移動用の手摺として兼用可能に構成されており、さらに、前記レール部材は、複数の前記ガイド部材が相対する場合に、前記作業者が前記命綱を取り外すことなくすれ違い動作を行うことができるように、一方の前記ガイド部材を迂回又は退避させるバイパス部を有し、前記バイパス部は、前記レール部材よりも上方に配置されている、ことを特徴とする浮体構造物用タンクが提供される。
【００１２】
上述した転落防止装置及び浮体構造物用タンクにおいて、前記バイパス部は、前記レール部材の一部から分岐して前記レール部材の他部に接続されるバイパス経路により構成されてもよいし、前記レール部材の一部から分岐した袋小路により構成されてもよい。
【００１３】
前記レール部材は、例えば、中空部及び該中空部と連通するスリット部を有する中空管により構成され、前記ガイド部材は、例えば、前記中空部に挿入されるアンカー部と前記スリット部に挿通される支持部と前記命綱が係止される係止部とを有する。前記中空管は、作業員が把持可能な外形を有していてもよい。また、前記アンカー部は、前記中空部に内接する車輪を有していてもよいし、前記支持部と自在継手を介して接続されていてもよい。
【発明の効果】
【００１４】
上述した本発明に係る転落防止装置及び浮体構造物用タンクによれば、壁面部にレール部材を固定して摺動可能なガイド部材を配置し、このガイド部材に命綱を係止させるようにするとともに、レール部材を移動用の手摺として兼用可能に構成したことにより、水平桁の端部やフェイスプレートを利用して常設又は仮設の手摺を配置する必要がなく、従来の長い縦支柱や複数条の転落防止用横木を省略することができ、設備コストを低減することができる。また、レール部材が壁面部に固定されていることから、貨物との接触による損傷を低減することができる。また、レール部材を遮る部材（例えば、縦支柱等）を有しないことから、命綱を取り外すことなく、ガイド部材をレール部材に沿って摺動させることができ、作業者の安全性を向上させることができる。
【００１５】
特に、レール部材にバイパス部を形成したことにより、同一経路のレール部材に複数の作業者が存在している場合であっても、バイパス部を利用して命綱を取り外すことなくすれ違うことができ、作業効率及び作業者の安全性を向上させることができる。
【図面の簡単な説明】
【００１６】
【図１】本発明の第一実施形態に係る浮体構造物用タンク及び転落防止装置を示す図であり、（ａ）は浮体構造物用タンクの横断面図、（ｂ）は図１（ａ）におけるＡ部拡大図、を示している。
【図２】図１に示した浮体構造物用タンク及び転落防止装置の説明図であり、（ａ）は浮体構造物用タンクの縦断面図、（ｂ）は図２（ａ）におけるＢ部拡大図、を示している。
【図３】図１に示した浮体構造物用タンクの水平断面図である。
【図４】バイパス部の変形例を示す図であり、（ａ）は第一変形例、（ｂ）は第二変形例、（ｃ）は第三変形例、を示している。
【図５】バイパス部の第四変形例を示す図であり、（ａ）は閉状態、（ｂ）は開状態、（ｃ）は図５（ａ）におけるＣ−Ｃ断面図、（ｄ）は図５（ｃ）の変形例、を示している。
【図６】ガイド部材の変形例を示す図であり、（ａ）は第一変形例、（ｂ）は第二変形例、（ｃ）は第三変形例、を示している。
【発明を実施するための形態】
【００１７】
以下、本発明の実施形態について、図１〜図６を用いて説明する。ここで、図１は、本発明の第一実施形態に係る浮体構造物用タンク及び転落防止装置を示す図であり、（ａ）は浮体構造物用タンクの横断面図、（ｂ）は図１（ａ）におけるＡ部拡大図、を示している。図２は、図１に示した浮体構造物用タンク及び転落防止装置の説明図であり、（ａ）は浮体構造物用タンクの縦断面図、（ｂ）は図２（ａ）におけるＢ部拡大図、を示している。図３は、図１に示した浮体構造物用タンクの水平断面図である。
【００１８】
本発明の第一実施形態に係る転落防止装置１は、図１〜図３に示したように、壁面部Ｗに隣接した通路Ｐに沿って設置され、壁面部Ｗに固定されるレール部材２と、レール部材２に摺動可能に配置されるとともに命綱Ｌが係止されるガイド部材３と、を有し、レール部材２は、移動用の手摺として兼用可能に構成されている。また、レール部材２は、複数のガイド部材３Ｌ，３Ｒが相対する場合に一方のガイド部材３Ｒを迂回させるバイパス部２１を有している。
【００１９】
前記転落防止装置１は、例えば、図１（ａ）に示したように、浮体構造物用タンク４に配置される。図示した浮体構造物用タンク４は、自立角型式のＬＮＧタンクである。かかる浮体構造物用タンク４は、浮体構造物５（ここでは、ＬＮＧタンカー）上に貨物を収容可能に配置される壁面部Ｗと、壁面部Ｗに沿って配置される水平桁４１と、を備えている。水平桁４１は、図３に示したように、例えば、タンク内の壁面部Ｗに沿って環状に形成されており、作業者は、タンク内点検のために、水平桁４１上を周回する。したがって、水平桁４１は、作業者の通路Ｐ又は作業場を構成している。なお、壁面部Ｗに複数の水平桁４１が配置されている場合には、点検作業が必要な水平桁４１に沿って転落防止装置１を配置するようにすればよい。
【００２０】
浮体構造物５は、ＬＮＧタンカーに限定されず、貨物を収容可能なタンクを有していればよく、ＬＰＧタンカー等の他のタンカー（液体貨物船）であってもよいし、バルクキャリア（ばら積船）であってもよいし、ＦＰＳＯ（洋上浮体式石油・ガス生産貯蔵積出設備）やＦＳＯ（洋上浮体式石油・ガス貯蔵積出設備）等であってもよい。なお、浮体構造物用タンク４は、図示した自立角型のものに限定されず、球型や円筒型であってもよい。
【００２１】
図１（ｂ）に示したように、前記レール部材２は、中空部２ａ及び中空部２ａと連通するスリット部２ｂを有する中空管により構成され、ガイド部材３は、中空部２ａに挿入されるアンカー部３ａとスリット部２ｂに挿通される支持部３ｂと命綱Ｌが係止される係止部３ｃとを有している。レール部材２を作業員が把持可能な外形を有する中空管により形成することにより、移動用の手摺として兼用可能に構成することもできる。スリット部２ｂは、例えば、中空部２ａに対して略水平方向のタンク内方側に形成されている。
【００２２】
また、レール部材２を構成する中空管は支持部２ｃに接続されており、支持部２ｃにより壁面部Ｗに固定されている。壁面部Ｗは、平面を構成する壁面そのものであってもよいし、壁面に骨材が配置されている場合には骨材を含んでいてもよい。支持部２ｃは、溶接によって壁面部Ｗ（壁面又は骨材）に固定されてもよいし、ボルト等の締結具によって固定されてもよい。なお、支持部２ｃは、中空管の全長に沿って配置されていてもよいし、適当な間隔を空けて分散して配置されていてもよい。
【００２３】
ガイド部材３のアンカー部３ａは、中空部２ａに挿入されるとともに、スリット部２ｂから抜け落ちない大きさを有する球形状又は円筒形状のスライダである。アンカー部３ａの摺動性を向上させるために、中空部２ａ、アンカー部３ａ又はその両方の表面にコーティング層や油膜を形成するようにしてもよい。支持部３ｂは、スリット部２ｂに沿って移動する部分であり、最も応力が生じ易い部分である。したがって、支持部３ｂ又はガイド部材３全体を強度部材により形成してもよいし、支持部３ｂの表面に耐磨耗性のコーティング層を形成するようにしてもよい。係止部３ｃは、例えば、環状に形成されており、命綱Ｌの先端に配置されたフックＦが着脱可能に係止される。命綱Ｌは、通路Ｐ（水平桁４１）上の作業者Ｍとガイド部材３とを繋ぐ部材であり、例えば、作業者Ｍの安全ベルト等に接続されている。
【００２４】
バイパス部２１は、例えば、図２（ａ）及び（ｂ）に記載されたように、レール部材２の一部から分岐してレール部材２の他部に接続されるバイパス経路によって構成される。なお、図２（ａ）及び図３において、説明の便宜上、レール部材２及びバイパス部２１を破線により図示している。かかるバイパス部２１を構成するバイパス経路は、レール部材２と同じ部材によって形成されスリット部２ｂと同じ形状のスリット部２１ｂを有する。また、図２（ａ）に示したように、バイパス部２１は、各レール部材２について一定の間隔で複数のバイパス経路が形成される。バイパス部２１は、各レール部材２について、作業経路の中間地点の一箇所に配置するようにしてもよいが、作業者Ｍの鉢合わせする箇所を予測することが困難な場合には適当な間隔で複数のバイパス経路を形成することにより、鉢合わせした箇所の近傍ですれ違い動作を行うことができる。
【００２５】
いま、図２（ｂ）に示したように、レール部材２の左側からガイド部材３Ｌに繋がった作業者Ｍが移動し、レール部材２の右側からガイド部材３Ｒに繋がった作業者Ｍが移動してきた場合を想定する。例えば、ガイド部材３Ｌに繋がった作業者Ｍが、レール部材２上をそのまま直進し、ガイド部材３Ｒに繋がった作業者Ｍが、バイパス部２１に迂回することにより、相対した作業者Ｍは容易にすれ違うことができ、各自の点検作業を継続することができる。このとき、作業者Ｍは命綱Ｌを取り外す必要がなく、作業者Ｍの安全性を向上させることができる。
【００２６】
また、上述したように、壁面部Ｗに転落防止装置１を常設することにより、通路Ｐ（水平桁４１）のタンク内側（開放端部側）に手摺を常設又は仮設する必要がなく、設備コストを低減することができる。また、転落防止装置１は壁面部Ｗに沿って配置されていることから、タンク内側（開放端部側）に手摺を配置した場合と比較して、貨物との衝突による影響を受け難くすることができ、転落防止装置１の損傷を低減することができる。
【００２７】
次に、上述したバイパス部２１の変形例について、図４及び図５を参照しつつ説明する。ここで、図４は、バイパス部の変形例を示す図であり、（ａ）は第一変形例、（ｂ）は第二変形例、（ｃ）は第三変形例、を示している。図５は、バイパス部の第四変形例を示す図であり、（ａ）は閉状態、（ｂ）は開状態、（ｃ）は図５（ａ）におけるＣ−Ｃ断面図、（ｄ）は図５（ｃ）の変形例、を示している。なお、図２（ｂ）に示した第一実施形態と同じ構成部品については、同じ符号を付して重複した説明を省略する。
【００２８】
図４（ａ）に示した第一変形例は、バイパス部２１をレール部材２の上方側に形成したものである。かかる構成により、直進時にガイド部材３がバイパス部２１の出入口に引っ掛かることなく円滑に移動することができる。
【００２９】
図４（ｂ）に示した第二変形例は、バイパス部２１をレール部材２の一部から分岐した袋小路により構成したものである。いま、図示したように、レール部材２の左側からガイド部材３Ｌに繋がった作業者Ｍが移動し、レール部材２の右側からガイド部材３Ｒに繋がった作業者Ｍが移動してきた場合を想定する。例えば、ガイド部材３Ｒに繋がった作業者Ｍが、バイパス部２１に退避し、ガイド部材３Ｌに繋がった作業者Ｍが、レール部材２上をそのまま直進することにより、相対した作業者Ｍは容易にすれ違うことができ、各自の点検作業を継続することができる。このとき、作業者Ｍは命綱Ｌを取り外す必要がなく、作業者Ｍの安全性を向上させることができる。なお、かかる第二変形例において、バイパス部２１を構成する袋小路を図４（ａ）に示した第一変形例と同様に、レール部材２の上方側に形成するようにしてもよい。
【００３０】
図４（ｃ）に示した第三変形例は、レール部材２を複数配置し（例えば、第一レール部材２２及び第二レール部材２３）、隣接するレール部材２（第一レール部材２２及び第二レール部材２３）を接続する連結経路によってバイパス部２１を構成するようにしたものである。このように複数のレール部材２を配置して両者を往来可能な連結経路（バイパス部２１）を形成することにより、例えば、第一レール部材２２と第二レール部材２３との間で任意にガイド部材３Ｌ，３Ｒを移動させることができ、作業者Ｍが同一のレール部材２上で相対した場合であっても容易にすれ違うことができる。
【００３１】
図５（ａ）〜（ｄ）に示した第四変形例は、バイパス部２１がレール部材２よりも下方に配置されており、ガイド部材３をバイパス部２１に迂回又は退避可能にするゲート部材２４を有するものである。具体的には、ゲート部材２４は、例えば、レール部材２のスリット部２ｂに沿ってスライド可能なスライドゲート２４ａと、スライドゲート２４ａの移動を停止させるストッパ２４ｂと、を有する。
【００３２】
スライドゲート２４ａは、図５（ｃ）に示したように、例えば、レール部材２の内面に沿って湾曲した曲面部と、スリット部２ｂから外部に延出された操作部と、を有する。スライドゲート２４ａは、図５（ａ）に示したように、バイパス部２１のスリット部２１ｂの幅よりも大きい長さに形成される。スライドゲート２４ａの操作部には、作業員がスライドゲート２４ａをし易くするように、把手部や摩擦部を配置するようにしてもよい。ストッパ２４ｂは、レール部材２の外面に配置された突起部であり、スライドゲート２４ａの移動する距離に対応した位置に配置される。
【００３３】
かかるゲート部材２４を配置することにより、ガイド部材３がレール部材２を直進する場合には、図５（ａ）に示したように、スライドゲート２４ａでスリット部２１ｂを塞ぐようにスライドさせることによって、バイパス部２１の出入口部２１ａを閉状態にすることができる。したがって、ガイド部材３は、レール部材２に沿って円滑に直進することができる。
【００３４】
また、ガイド部材３がバイパス部２１に迂回する場合には、図５（ｂ）に示したように、スライドゲート２４ａをストッパ２４ｂの位置までスライドさせることによって、バイパス部２１の出入口部２１ａを開状態にすることができる。したがって、ガイド部材３は、バイパス部２１に沿って円滑に迂回することができる。なお、バイパス部２１に迂回した後は、スライドゲート２４ａをスライドさせて、図５（ａ）に示した閉状態にしておくと便利である。
【００３５】
また、図５（ｄ）に示したように、レール部材２にスライドゲート２４ａを収容する収容部２４ｃを形成するようにしてもよい。収容部２４ｃは、スライドゲート２４ａが移動する距離に応じて形成される。このように、レール部材２に収容部２４ｃを形成することにより、スライドゲート２４ａをガイド部材３の移動経路から退避させることができ、円滑にガイド部材３をレール部材２に沿って移動させることができる。
【００３６】
なお、ゲート部材２４は、上述した構成に限定されるものではなく、ストッパ２４ｂを省略してもよいし、収容部２４ｃをスライドゲート２４ａと略同じ長さに形成してもよいし（スライド時にはスライドゲート２４ａが収容部２４ｃからはみ出していてもよく、収容部２４ｃの両端部にスロープを形成するようにしてもよい）、スライドゲート２４ａにスプリングを配置して閉状態を維持するように付勢してもよいし、所定の圧力又は重力が負荷された場合に回動する扉部を出入口部２１ａに配置した構成であってもよい。
【００３７】
また、ゲート部材２４は、レール部材２だけに配置されるものではなく、ガイド部材３に配置されるものであってもよい。例えば、ガイド部材３のアンカー部３ａの長さを伸縮可能に構成し、レール部材２を直進する際には、アンカー部３ａの長さを中空部２ａの内径よりも大きくし、バイパス部２１に迂回する際には、アンカー部３ａの長さを中空部２ａの内径よりも小さくなるように変形させるようにしてもよい。
【００３８】
次に、ガイド部材３の変形例について、図６を参照しつつ説明する。ここで、図６は、ガイド部材の変形例を示す図であり、（ａ）は第一変形例、（ｂ）は第二変形例、（ｃ）は第三変形例、を示している。なお、図１（ｂ）に示した第一実施形態と同じ構成部品については、同じ符号を付して重複した説明を省略する。
【００３９】
図６（ａ）に示した第一変形例は、アンカー部３ａが中空部２ａに内接する車輪３１を有するものである。このようにアンカー部３ａに車輪３１を配置することにより、車輪３１をレール部材２に沿って転動させることができ、ガイド部材３の移動を補助することができる。
【００４０】
図６（ｂ）に示した第二変形例は、アンカー部３ａが支持部３ｂと自在継手３ｄを介して接続されているものである。自在継手３ｄには、例えば、ボールジョイントやカルダンジョイント等のユニバーサルジョイントが適用される。かかる構成により、ガイド部材３の移動時において、アンカー部３ａに作用する主たる力を回転すべり摩擦力だけにすることができ、ガイド部材３をレール部材２に沿って円滑に移動させることができる。
【００４１】
図６（ｃ）に示した第三変形例は、アンカー部３ａが中空部２ａに内接するベアリング３ｅを有するものである。このようにアンカー部３ａにベアリング３ｅを配置することにより、車輪３１をレール部材２に沿って滑動させることができ、ガイド部材３の移動を補助することができる。ベアリング３ｅの配置箇所や個数は、図示したものに限定されるものではなく、必要に応じて任意に設定することができる。また、第三変形例では、レール部材２を略矩形断面に構成し、アンカー部３ａもレール部材２の中空部２ａの形状に合わせた略矩形断面に構成している。このように、レール部材２（中空部２ａ）及びアンカー部３ａを矩形に形成しても、摺動（スライド）可能なガイド部材３を配置することができる。また、アンカー部３ａが球形の場合であっても、ベアリング３ｅを配置するようにしてもよい。
【００４２】
本発明は上述した実施形態に限定されず、バイパス部２１は不要な場合（例えば、複数のレール部材２が並列に配置されている場合、作業者がすれ違う可能性がない場合等）には省略することができる、作業者が一定時間滞在する作業場には本発明に係る転落防止装置１に加えて通常の手摺装置を設置してもよい、上述したバイパス部２１の第一変形例〜第四変形例及びガイド部材３の第一変形例〜第三変形例を適宜組み合わせて使用することができる等、本発明の趣旨を逸脱しない範囲で種々変更が可能であることは勿論である。
【符号の説明】
【００４３】
１  転落防止装置
２  レール部材（中空管）
２ａ  中空部
２ｂ  スリット部
２ｃ  支持部
３，３Ｌ、３Ｒ  ガイド部材
３ａ  アンカー部
３ｂ  支持部
３ｃ  係止部
３ｄ  自在継手
３ｅ  ベアリング
４  浮体構造物用タンク
２１  バイパス部
２４  ゲート部材
３１  車輪
４１  水平桁
【図１】
0005775380.tif 000002
【図２】
0005775380.tif 000003
【図３】
0005775380.tif 000004
【図４】
0005775380.tif 000005
【図５】
0005775380.tif 000006
【図６】
0005775380.tif 000007